(57)【要約】【課題】  異常が発生する可能性が高い条件が設定された場合は警告し、異常を発生させず、高速で高品位な画像形成が行える画像形成装置装置を提供すること。【解決手段】  画像形成装置において、制御手段は、画像情報に基づき画像形成作動を行う際に、設定された画像形成条件及び後処理条件と、警告対象条件記憶手段に記憶されている異常多発条件を比較して、一致する条件がある場合は、警告手段により異常が発生する可能性が高いことを警告すること。【選択図】        図１
2007072063.tif 000002
【特許請求の範囲】
【請求項１】
画像形成条件を設定する画像形成条件設定手段と、
前記画像形成条件設定手段により設定された画像形成条件に応じて、画像情報に基づき記録媒体に画像を形成する画像形成手段と、
後処理条件を設定する後処理条件設定手段と、
前記後処理条件設定手段により設定された後処理条件に応じて画像が形成された記録媒体に所定の後処理を施す後処理手段と、
前記画像形成手段及び前記後処理手段を制御し画像形成作動を行う制御手段とを備えた画像形成装置において、
異常が発生したことを検出する異常発生検出手段と、
前記異常発生検出手段が異常を検出した時、
設定されていた画像形成条件及び後処理条件の各々の異常発生回数を記憶回数として記憶する異常発生内容記憶手段と、
前記異常発生内容記憶手段に記憶されている画像形成条件及び後処理条件にぞれぞれ対応する前記記憶回数が、予め設定された所定回数を超えたことを検出した場合に、
前記所定回数を超えた画像形成条件及び後処理条件を異常多発条件として記憶する警告対象条件記憶手段と、
警告表示を行う警告手段とを備え、
前記制御手段は、
画像情報に基づき前記画像形成作動を行う際に、前記画像形成条件設定手段及び前記後処理条件設定手段により設定された画像形成条件及び後処理条件と、前記警告対象条件記憶手段に記憶されている前記異常多発条件を比較して、
一致する条件がある場合は、前記警告手段により異常が発生する可能性が高いことを警告すること
を特徴とする画像形成装置。
【請求項２】
通信網に接続された他の画像形成装置に対して、転送データとして画像情報と共に画像形成作動に必要な画像形成条件及び後処理条件を含むＪＯＢ情報を転送できる情報転送手段と、
前記転送データを転送できる状態にある他の画像形成装置を選択する転送先選択手段を備え、
前記制御手段は、
前記警告手段を作動させた場合は、
前記転送先選択手段が選択した他の画像形成装置対して、前記情報転送手段により前記転送データを転送すること
を特徴とする請求項１に記載の画像形成装置。
【請求項３】
前記制御手段は、
画像情報に基づき画像形成作動を行う際に、前記画像形成条件設定手段及び前記後処理条件設定手段により設定された画像形成条件及び後処理条件と、前記警告対象条件記憶手段に記憶されている前記異常多発条件を比較して、
一致する条件の数に応じて、前記警告手段による警告表示状態を変化させること
を特徴とする請求項１または請求項２に記載の画像形成装置。
【請求項４】
前記異常発生内容記憶手段に記憶する特定条件を設定する特定条件設定手段を備え、
前記制御手段は、
前記異常発生検出手段が異常を検出した時、
前記特定条件設定手段により設定された特定条件に関連する画像形成条件及び後処理条件を前記異常発生内容記憶手段に記憶するようにしたこと
を特徴とする請求項１に記載の画像形成装置。
【請求項５】
記録媒体の搬送手段を備え、
前記特定条件は、
少なくとも前記記録媒体の搬送手段の搬送異常発生位置に関連する画像形成条件及び後処理条件であること
を特徴とする請求項４に記載の画像形成装置。
【請求項６】
設定された画像形成条件及び後処理条件に応じて、画像情報に基づき記録媒体に画像を形成し、画像が形成された記録媒体に所定の後処理を施す画像形成作動を行う画像形成方法において、
異常が発生したことを検出した時、
設定されていた画像形成条件及び後処理条件の各々の異常発生回数を記憶回数として記憶し、
記憶されている画像形成条件及び後処理条件にぞれぞれ対応する前記記憶回数が、予め設定された所定回数を超えたことを検出した場合に、
前記所定回数を超えた画像形成条件及び後処理条件を異常多発条件として記憶し、
画像情報に基づき前記画像形成作動を行う際に、設定された画像形成条件及び後処理条件と、記憶されている前記異常多発条件を比較して、
一致する条件がある場合は、異常が発生する可能性が高いことを警告すること
を特徴とする画像形成方法。
【請求項７】
異常が発生する可能性が高いことを警告した場合は、
通信網に接続された他の画像形成装置に対して、
転送データとして画像情報と共に画像形成作動に必要な画像形成条件及び後処理条件を含むＪＯＢ情報を転送すること
を特徴とする請求項６に記載の画像形成方法。
【請求項８】
画像情報に基づき前記画像形成作動を行う際に設定された画像形成条件及び後処理条件と、記憶されている前記異常多発条件を比較して警告を行う場合に、
一致する条件の数に応じて、警告表示状態を変化させること
を特徴とする請求項６または請求項７に記載の画像形成方法。
【請求項９】
異常発生に関する特定条件が設定された場合は、
異常が検出された時、前記特定条件に関連する画像形成条件及び後処理条件を記憶するようにしたこと
を特徴とする請求項６に記載の画像形成方法。
【請求項１０】
前記特定条件は、少なくとも記録媒体の搬送異常発生位置に関連する画像形成条件及び後処理条件であること
を特徴とする請求項９に記載の画像形成方法。
【発明の詳細な説明】
【技術分野】
【０００１】
本発明は、画像形成作動に先立って設定された画像形成条件に対して、異常が発生する可能性が高いと判断された場合は、警告を発し異常の発生を回避することができるようにした画像形成装置に関する。
【背景技術】
【０００２】
最近では、画像形成装置の機能性能等が向上して、大量の画像情報を高速に処理することができるようになっており、例えば、１枚ずつ給紙動作を完了させた後に、次の給紙動作に入るようにしていると、給紙速度を高速化できず、また、給紙速度を高速化できたとしてもスループットに限界が出てきたりといった問題が発生するので、先行する紙の給紙動作を行っている間に、次の紙の予給紙（プレフィード）を行うという工夫を行っているものがある。
【０００３】
また、印字条件を印字予約メモリに順次記憶しておき、その記憶された印字条件が満たされ次第、印字動作のための予備給紙を行うようにして、次の紙だけでなく、それ以降の紙についても可能な限り予備給紙を行うという工夫をしているものがある。
【０００４】
その結果、たとえば、すでに印字条件を予約して印字しているときに、紙無しとなり、そのときにオペレータが該当する紙サイズとは異なる紙サイズの紙を収納してしまった場合に、給紙前に紙サイズを検知できる給紙口において、印字条件を予約した時点で検知した紙サイズと、実際に印字可能条件が整って印字動作の給紙を行おうとした時点で検知した紙サイズとが異なるという現象が発生することがある。
【０００５】
このような現象が発生した場合は、紙サイズが異なるために、予約時の印字条件として記憶した紙サイズに従って、給紙して印字動作を開始した後で、紙長不一致ミスプリントエラーとなったり、ジャムが発生したりすることになる。
【０００６】
そこで、画像形成装置の印刷条件設定手段で予め設定した紙サイズと、実際に紙サイズ検知手段が検知した原稿の紙サイズとを比較して、予約開始時の紙サイズと印字開始する時点での紙サイズが不一致の場合に、紙サイズ不一致の警告表示を行い、警告表示が行われた時は、紙サイズ情報を実際の紙サイズに書き換えて、継続して出力できるようにした技術が公開されている（例えば、特許文献１参照。）。
【０００７】
また、短時間に大量に処理する必要があるデータがある場合に、データを他の装置に振り分け、データを振り分けた先の装置が、エラー情報を出力した場合は、振り分けたデータを更に他の装置に振り分け直すことにより効率的なデータ処理を行うようにした技術が公開されている（例えば、特許文献２参照。）。
【特許文献１】特開２００３−３１２１０９号公報
【特許文献２】特開２００５−３８０４１号公報
【発明の開示】
【発明が解決しようとする課題】
【０００８】
しかしながら、特許文献１は、紙サイズ不一致という異常が発生した場合に、紙サイズ情報を実際の紙サイズに書き換えて、継続して出力できるようにした技術であり、特許文献２は、データを振り分けた先の装置が、エラー情報を出力するという異常が発生した場合に、振り分けたデータを更に他の装置に振り分け直すことにより対処するようにした技術で、何れも異常が発生した場合に効率的に対処できるようにした技術で、異常の発生を回避するための技術ではない。
【０００９】
特に、異常が発生した場合は、一般に、画像形成装置の画像形成作動は停止しており、特許文献１では、使用者は、紙サイズ情報を実際の紙サイズに書き換えたり、特許文献２では、振り分けたデータを更に他の装置に振り分け直す操作が必要となり、このような作業は急いでいる時だけに、かえって紙サイズを間違えて書き換えたり、データの振り分け先を間違えたりする誤操作を誘発する可能性が高く、異常が発生した場合に効率的に対処できるとはいえ、使用者に対して大きな負担を掛けるという問題があった。
【００１０】
本発明は、上記問題に鑑み、異常が発生する可能性が高い条件が設定された場合は警告し、事前に異常を回避することで、異常を発生させず、高速で高品位な画像形成が行える画像形成装置装置を提供することを目的とする。
【課題を解決するための手段】
【００１１】
本発明は、下記構成を採ることで上記目的を達成できる。
（１）
画像形成条件を設定する画像形成条件設定手段と、
前記画像形成条件設定手段により設定された画像形成条件に応じて、画像情報に基づき記録媒体に画像を形成する画像形成手段と、
後処理条件を設定する後処理条件設定手段と、
前記後処理条件設定手段により設定された後処理条件に応じて画像が形成された記録媒体に所定の後処理を施す後処理手段と、
前記画像形成手段及び前記後処理手段を制御し画像形成作動を行う制御手段とを備えた画像形成装置において、
異常が発生したことを検出する異常発生検出手段と、
前記異常発生検出手段が異常を検出した時、
設定されていた画像形成条件及び後処理条件の各々の異常発生回数を記憶回数として記憶する異常発生内容記憶手段と、
前記異常発生内容記憶手段に記憶されている画像形成条件及び後処理条件にぞれぞれ対応する前記記憶回数が、予め設定された所定回数を超えたことを検出した場合に、
前記所定回数を超えた画像形成条件及び後処理条件を異常多発条件として記憶する警告対象条件記憶手段と、
警告表示を行う警告手段とを備え、
前記制御手段は、
画像情報に基づき前記画像形成作動を行う際に、前記画像形成条件設定手段及び前記後処理条件設定手段により設定された画像形成条件及び後処理条件と、前記警告対象条件記憶手段に記憶されている前記異常多発条件を比較して、
一致する条件がある場合は、前記警告手段により異常が発生する可能性が高いことを警告すること
を特徴とする画像形成装置。
（２）
通信網に接続された他の画像形成装置に対して、転送データとして画像情報と共に画像形成作動に必要な画像形成条件及び後処理条件を含むＪＯＢ情報を転送できる情報転送手段と、
前記転送データを転送できる状態にある他の画像形成装置を選択する転送先選択手段を備え、
前記制御手段は、
前記警告手段を作動させた場合は、
前記転送先選択手段が選択した他の画像形成装置対して、前記情報転送手段により前記転送データを転送すること
を特徴とする（１）に記載の画像形成装置。
（３）
前記制御手段は、
画像情報に基づき画像形成作動を行う際に、前記画像形成条件設定手段及び前記後処理条件設定手段により設定された画像形成条件及び後処理条件と、前記警告対象条件記憶手段に記憶されている前記異常多発条件を比較して、
一致する条件の数に応じて、前記警告手段による警告表示状態を変化させること
を特徴とする（１）または（２）に記載の画像形成装置。
（４）
前記異常発生内容記憶手段に記憶する特定条件を設定する特定条件設定手段を備え、
前記制御手段は、
前記異常発生検出手段が異常を検出した時、
前記特定条件設定手段により設定された特定条件に関連する画像形成条件及び後処理条件を前記異常発生内容記憶手段に記憶するようにしたこと
を特徴とする（１）に記載の画像形成装置。
（５）
記録媒体の搬送手段を備え、
前記特定条件は、
少なくとも前記記録媒体の搬送手段の搬送異常発生位置に関連する画像形成条件及び後処理条件であること
を特徴とする（４）に記載の画像形成装置。
（６）
設定された画像形成条件及び後処理条件に応じて、画像情報に基づき記録媒体に画像を形成し、画像が形成された記録媒体に所定の後処理を施す画像形成作動を行う画像形成方法において、
異常が発生したことを検出した時、
設定されていた画像形成条件及び後処理条件の各々の異常発生回数を記憶回数として記憶し、
記憶されている画像形成条件及び後処理条件にぞれぞれ対応する前記記憶回数が、予め設定された所定回数を超えたことを検出した場合に、
前記所定回数を超えた画像形成条件及び後処理条件を異常多発条件として記憶し、
画像情報に基づき前記画像形成作動を行う際に、設定された画像形成条件及び後処理条件と、記憶されている前記異常多発条件を比較して、
一致する条件がある場合は、異常が発生する可能性が高いことを警告すること
を特徴とする画像形成方法。
（７）
異常が発生する可能性が高いことを警告した場合は、
通信網に接続された他の画像形成装置に対して、
転送データとして画像情報と共に画像形成作動に必要な画像形成条件及び後処理条件を含むＪＯＢ情報を転送すること
を特徴とする（６）に記載の画像形成方法。
（８）
画像情報に基づき前記画像形成作動を行う際に設定された画像形成条件及び後処理条件と、記憶されている前記異常多発条件を比較して警告を行う場合に、
一致する条件の数に応じて、警告表示状態を変化させること
を特徴とする（６）または（７）に記載の画像形成方法。
（９）
異常発生に関する特定条件が設定された場合は、
異常が検出された時、前記特定条件に関連する画像形成条件及び後処理条件を記憶するようにしたこと
を特徴とする（６）に記載の画像形成方法。
（１０）
前記特定条件は、少なくとも記録媒体の搬送異常発生位置に関連する画像形成条件及び後処理条件であること
を特徴とする（９）に記載の画像形成方法。
【発明の効果】
【００１２】
本発明は、異常が発生した時、設定されていた画像形成条件及び後処理条件記憶され、また、記憶された画像形成条件及び後処理条件の中から、それぞれ記憶された記憶回数が多い画像形成条件及び後処理条件が異常多発条件として記憶されるので、画像形成作動を行う際に、異常多発条件に該当する条件が設定された場合は、異常が発生する可能性が高いことを警告することにより、使用者が事前に異常を回避することができるので、異常が発生した場合に異常の解消等の対処を行う使用者の作業等の負担をなくして、効率的に、高速で高品位な画像形成が行える画像形成装置装置を提供することができる。
【００１３】
また、異常が発生する可能性が高いことを警告した場合は、設定条件を変更したり、通信網に接続された他の画像形成装置に対して、ＪＯＢ情報を転送することができるようにしたので、効率的に、高速で高品位な画像形成が行える画像形成装置装置を提供することができる。
【００１４】
また、異常多発条件と設定条件の一致する条件の数に応じて、警告表示状態を変化させることができるようにしたので、警告表示状態により使用者は適切に異常を回避するための処理を選択できるようになり、効率的に、高速で高品位な画像形成が行える画像形成装置装置を提供することができる。
【００１５】
また、記録媒体の搬送異常等の特定条件を設定した場合は、特定条件に関連する画像形成条件及び後処理条件を記憶し、特定条件に対応した異常多発条件を抽出することにより、特定条件に対応する異常の発生しやすい設定条件が容易に把握でき、効率的に異常の回避を行ったり処置を行うことができるようになり、高速で高品位な画像形成が行える画像形成装置装置を提供することができる。
【発明を実施するための最良の形態】
【００１６】
以下、図面を参照しながら本発明を詳細に説明するが、本発明はこれに限定されるものではない。なお、各図面において、同一符号のものは同一の物を示すものとし、適宜、関連する他の図面を参照して、詳細に説明するものとする。
【００１７】
図１は本実施の形態における画像形成装置の概略図、図２は本実施の形態における画像形成装置の回路構成を示すブロック図、図３は本発明に係る異常多発条件の記憶制御手順を示すフローチャート、図４は本発明に係る異常回避制御手順を示すフローチャート、図５は本実施の形態における警告表示画面の一例を示す模式図、図６は本実施の形態における再設定条件選択画面の一例を示す模式図、図７は本実施の形態における出力先変更画面の一例を示す模式図、図８は記憶手段１６０の記憶内容を示した模式図である。特に、図８（Ａ）は、異常が発生した時の画像形成条件や後処理条件のそれぞれの項目と記憶回数が記憶された第１メモリの記憶内容を示す模式図である。図８（Ｂ）は異常多発条件が記憶された第２メモリの記憶内容を模式的に示したものである。
【００１８】
図１により本実施の形態における画像形成装置の構成について説明する。
【００１９】
本発明の実施の形態における画像形成装置は、説明を簡単にするために電子写真方式の複写機とする。また、画像形成装置は後述する自動原稿送り装置や後処理装置を備えているものとする。
【００２０】
２０は画像形成装置、３０は画像形成装置２０に装着された自動原稿送り装置（ＡＤＦ）、４０は画像が記録（形成ともいう。）された転写紙に対して、例えば、カバーシートを挿入（付加）したり、出力媒体に穴を開けたり、綴じたり、折ったり等の出力媒体へ加工を施す後処理機能を備えた後処理装置である。
【００２１】
画像形成装置２０は、筐体１の右側面部に比較的少量の出力媒体である転写紙Ｐを供給するための手差し皿２が設けられている。また、左側面部には、画像が形成された転写紙Ｐを排出して後処理装置４０に向けて搬送することができるようになっている。そして、筐体１の底面部には画像形成装置２０を移動できるようにするための複数のキャスター４が設けられている。
【００２２】
転写紙Ｐは、通常の転写紙Ｐと特殊な転写紙ＩＰに大別され、通常の転写紙Ｐは、標準紙又は普通紙と呼ばれるもので、特殊な転写紙ＩＰとしては、厚手の紙（厚紙）や薄手の紙（薄紙）、タブと称する突起が設けられたインデックス紙やＯＨＰシート、又は資源の節約のために、一般には通常の転写紙Ｐの片面に画像が一度形成された再利用紙と呼ばれるものがある。
【００２３】
筐体１の前面の上部には、ＡＤＦ３０や後処理装置等と連携して画像形成装置２０を作動させるために、画像形成条件や後処理条件等を設定するための操作入力手段２００や表示手段３００が組み込まれたコントロールパネルＣＰが設けられている。
【００２４】
コントロールパネルＣＰには、液晶表示装置、あるいは、操作入力手段２００としての表示装置にタッチパネル等が組み込まれたタッチパネル式の液晶表示装置により構成された表示手段ＤＰやキーボードＫＢ、スタート釦（コピー釦ともいう。）ＳＫ等の入力手段が設けられている。
【００２５】
例えば、コントロールパネルＣＰでは、画像形成モードに関連する画像形成条件として、出力される転写紙に対して、印字（印刷、プリント、またはコピーともいう。）をカラー又は白黒の何れにするか、両面印字か片面印字か、また、転写紙として、どのような種類やサイズの転写紙を使用するか、また、出力するプリント枚数や部数、拡大縮小等の倍率、濃度の設定等の種々の画像形成条件を選択したり入力したりすることができるようになっている。
【００２６】
また、画像が形成された転写紙に対して後処理を施すか否かといった条件の選択設定や、後処理を施す場合は、後処理モードに関連する後処理条件として、綴じや穴あけ、または、折り等の後処理に対して、詳細な条件の設定ができるようになっている。
【００２７】
そして、本実施の形態においては、詳細は後述するが、コントロールパネルＣＰで設定した画像形成条件や後処理条件に基づき、例えば、所望の部数の画像形成作動を行った後に、後処理装置４０を作動させて所望の後処理を施す画像形成モードが実行できるようになっている。
【００２８】
なお、コントロールパネルＣＰのタッチパネル式の表示手段ＤＰは、表示部に示される数字や文字や記号等が描かれたボタン等の図柄に使用者が触れると、表示部に示される情報の選択や設定等の入力ができるようになっている。
【００２９】
本実施の形態においては、タッチパネル式の表示手段ＤＰは、転写紙Ｐに画像を形成するための画像形成モードに関連する画像形成条件や、画像が形成された転写紙Ｐに対して後処理を施す後処理モードに関連する後処理条件等の選択設定を必要とする項目に対する入力手段を兼ねている。
【００３０】
特に、詳細は後述するが、画像形成作動を実行する際に設定した画像形成条件や後処理条件等が、例えば、すでに記憶手段に記憶されている異常多発条件の幾つかに該当し、異常が発生する可能性が高いと警告された場合に、設定されていた条件を変更したり、あるいは、他の画像形成装置にＪＯＢ情報のデータ転送を行うように設定するする入力手段としても機能するようになっている。
【００３１】
また、操作入力手段２００としての入力装置であるキーボードＫＢは、主に数値等を入力する場合に使用し、スタート釦（コピー釦ともいう。）ＳＫは、押圧することにより画像形成装置２０のコピー等のＪＯＢの作動等を開始させることができるようになっている。
【００３２】
更に、ＡＤＦ３０や後処理装置４０を備えている場合は、スタート釦ＳＫを押圧することにより、画像形成装置２０と連携してＡＤＦ３０や後処理装置４０の作動を開始させたりすることができる。つまり、スタート釦ＳＫは画像形成装置２０やＡＤＦ３０あるいは後処理装置４０等を含めた画像形成システムにおいて、一連の画像形成作動の実行を開始させる際に使用するものである。
【００３３】
筐体１の内部には、制御手段ＥＣ、画像形成手段１１、画像読取手段１３、及び給排紙手段１４等が設けられている。
【００３４】
制御手段ＥＣは、制御回路とも呼ばれ、画像形成装置２０の全ての作動を制御するための制御手段であり、ＣＰＵ等からなる電気回路で構成されている。そして、ＣＰＵに予め記憶された制御プログラムや制御データ等に基づき、画像形成装置２０を構成する全ての手段を駆動制御するようになっている。
【００３５】
また、画像形成装置２０にＡＤＦ３０や後処理装置４０等の付属装置が接続されている場合は、同様に、これらの付属装置と連携し協働して、画像形成装置２０を中心とする画像形成システム全体が円滑に作動するように駆動制御するための制御手段としても機能するようになっている。
【００３６】
更に、ＬＡＮ（ローカル・エリア・ネットワーク）等で、パーソナルコンピュータあるいは、他の情報機器等と接続されている場合も、制御手段ＥＣは、これらの機器と協働して、作動に必要な情報の記憶や授受を含め支障なく円滑に駆動制御できるようになっている。
【００３７】
画像形成手段１１は、原稿等の画像情報に基づく画像を形成するための手段である。例えば、モータ等の駆動源により予め設定された作像方向（例えば、矢印で示す時計方向）に回転する感光体ドラム（感光体あるいは像担持体とも言う。）５、感光体ドラム５を一様に帯電する帯電手段６、画像情報（画像データともいう）に基づき感光体ドラム５に静電潜像を形成するための露光光を照射する露光手段（図示せず。）、感光体ドラム５に形成された静電潜像をトナー像として顕像化する現像手段７、感光体ドラム５に形成されたトナー像を転写紙Ｐ等に転写する転写分離手段８、トナー像が転写紙Ｐ等に転写された後、感光体ドラム５に残留するトナーや紙粉等を掻き落とすためのクリーニング手段９、及び、転写されたトナー像を転写紙Ｐに溶融固着するための定着手段１０等により構成されている。
【００３８】
なお、本実施の形態においては、説明を簡単にするために、画像形成手段１１は、感光体ドラム５が１個の場合について説明したが、例えば、前述の感光体ドラム５等を複数用いて、Ｙ（イエロー）、Ｍ（マゼンタ）、Ｃ（シアン）、Ｋ（黒）等のトナー像を中間転写体である転写ベルトに形成して転写紙に一括転写する、例えば、タンデム式の画像形成手段を用いても良いことは言うまでもない。
【００３９】
また、本実施の形態においては、転写紙によっては、巻き癖（カールともいう）が付き易く、転写紙が感光体ドラムから分離する際に、前述のカールの状態によっては分離しにくくなり、感光体ドラム５に巻き付いた状態となる事故を起こすことがあるので、これを防止するために、転写紙を感光体ドラム５から分離する転写分離手段８の作動を支援する手段として、感光体ドラム５に接触又は待避可能な爪部材を有する分離爪手段（分離手段）１５を備えている。
【００４０】
画像読取手段１３は、光源ＬＴ、ミラー群ＭＲ、結像レンズＬＺ等からなる読取光学系と、ＣＣＤ（固体撮像素子）等を含む電気回路からなる読取装置ＥＳとで、構成されている。
【００４１】
読取装置ＥＳは、画像形成装置２０が複写機の場合は、自動原稿送り装置３０の底部側に位置し、筐体１の上部に設けられたプラテンガラス（図示せず）上に載置した原稿や、自動原稿送り装置３０により、読取位置に搬送された原稿の画像情報を読取り、デジタルの画像データに変換して、制御手段ＥＣに設けられた記憶手段に画像データを、例えば、圧縮して記憶するようになっている。
【００４２】
また、ＡＤＦ３０により搬送された原稿を画像読取手段１３で読み取る場合は、読取位置に搬送された原稿を光源ＬＴが照射し、ミラー群ＭＲを介して、原稿からの反射光を結像レンズＬＺにより読取装置ＥＳのＣＣＤ面に結像させ、ＣＣＤの出力する画像情報を画像データとして記憶手段に記憶するようになっている。
【００４３】
給排紙手段１４は、給紙カセット１２と、駆動源としてのモータや複数のローラ、および搬送方向を規定するガイド部材や搬送方向を切り替えるレバー等の部材からなる給排紙搬送手段で構成されている。
【００４４】
給紙カセット１２は、例えば、特殊な転写紙ＩＰを収納するカセット１２ａと、普通紙Ｐを収納するカセット１２ｂとで構成されている。
【００４５】
給排紙搬送手段は、例えば、直進搬送手段と循環搬送手段とで構成され、直進搬送手段は、給紙カセット１２から搬送されてきた転写紙の片面に、画像形成手段１１により画像を形成して排紙することができる直進搬送路を有している。
【００４６】
また、循環搬送手段は、転写紙の表裏両面に画像を形成するために、片面（表面ともいう。）に画像が形成された転写紙を排紙方向への搬送途中で搬送方向を反転させ、かつ、表裏を反転させて、もう一方の片面（裏面ともいう。）に画像を形成するように搬送するための循環搬送路を有している。
【００４７】
そして、直進搬送手段と循環搬送手段のどちらを作動させるかは、操作入力手段２００で入力設定された片面印字または両面印字の印字面情報（印字モードともいう。）を、制御手段ＥＣが判断して制御するようになっている。
【００４８】
転写紙を搬送する場合は、制御手段ＥＣの指示により、循環搬送制御手段が給排紙搬送手段等を作動させ、例えば、片面に画像を形成する片面モードの場合は、特殊な転写紙ＩＰ又は普通紙Ｐを予め選択し設定した後に、駆動源であるモータを回転させることにより、複数のローラ群等を回転駆動させて、給紙カセット１２から適切なタイミングで感光体ドラム５に向けて予め選択された特殊な転写紙ＩＰ又は普通紙Ｐを給紙搬送し、原稿に基づく画像が形成された後に排紙搬送するようになっている。
【００４９】
また、両面に画像を形成する、所謂、両面印字（表裏両面印字ともいう。）を行う両面モードの場合は、制御手段ＥＣの指示により、循環搬送制御手段が給排紙搬送手段等を作動させ、画像形成手段１１により片面に画像が形成された転写紙が排紙方向（矢印Ｘ方向）へ搬送されている途中で、例えば、転写紙の先端部が反転ローラ１７を通過した時点で、反転ローラ１７の回転を停止させ、次に転写紙を画像形成手段１１へ戻す方向に搬送するように、反転ローラ１７の回転方向を切り替える。
【００５０】
同時に、反転部材１６を時計方向に回転させて、画像形成手段１１の方向に搬送されていた転写紙の進行方向を矢印Ｘ２に示す経路（循環搬送路ともいう。）に変更させる。
【００５１】
そして、予め設定された循環可能枚数に基づき循環搬送路内を搬送させることで、一次的に転写紙を待機させた状態にした後に、適切なタイミングで転写紙を矢印Ｘ２方向からＸ１方向へと搬送して、再度画像形成手段１１による画像形成を行わせ、両面印字された転写紙を後処理装置４０へ搬送するためにＸ方向へと排紙させるようになっている。
【００５２】
なお、一般には、転写紙の搬送経路には、転写紙を適切に搬送するためのガイド部材が設けられていることが多いが、本発明の実施の形態においては、説明を簡単にするために、ガイド部材に関する図示および説明を省略した。
【００５３】
本実施の形態における自動原稿送り装置（ＡＤＦ）について簡単に説明する。
【００５４】
ＡＤＦ３０は、搬送装置全体がＡＤＦ筐体３１で覆われ、ＡＤＦ筐体３１の外部に原稿載置台３２と排紙部３３が設けられている。
【００５５】
原稿載置台３２には、例えば、第１頁の原稿面（表面）を最上部にした状態の複数の原稿ＷＰが載置される。載置された原稿ＷＰは、複数のローラ等により構成される原稿搬送装置により読取位置に搬送され、読取装置ＥＳで読み取られ、排紙部３３に排紙される。
【００５６】
原稿搬送装置は、図示せぬ駆動制御回路により、画像形成装置２０の制御手段ＥＣと連動して作動するようになっている。
【００５７】
本実施の形態における後処理装置４０の構成について簡単に説明する。
【００５８】
後処理装置４０は、後処理装置の筐体４１に全体が覆われており、筐体４１の右側面部（画像形成装置２０側）には、画像形成装置２０から排紙される画像が形成された転写紙を受け入れるための挿入口４３が設けられ、左側面部には、表紙等に用いられる供給前のカバーシートＫが載置されるカバーシート給紙部ｎ４、例えば、綴じられた転写紙束が積載される排紙皿（積み置き部）ｎ９、折り畳まれた転写紙束を受ける排紙皿ｎ１０が設けられている。
また、筐体４１の底面部には後処理装置４０を移動できるようにするための複数のローラ４２が設けられている。
【００５９】
筐体４１の内部には、画像形成装置２０の制御手段ＥＣと連動して作動するように図示せぬ駆動制御回路やモータ等の駆動源が設けられている。また、シフト処理部およびパンチ部（穴あけ装置ともいう。）ｎ５、中間スタッカ（積み置き部）ｎ６、ステープラ（綴じ装置）ｎ７、折り畳み装置ｎ８が設けられており、更に、搬送路Ｒ５，Ｒ６，Ｒ７，Ｒ８，Ｒ９，Ｒ１０，Ｒ１１，Ｒ１２、Ｒ１３、Ｒ１４が構成されている。
【００６０】
搬送路Ｒ１〜Ｒ１１は、主に、駆動ローラと従動ローラとからなる搬送ローラ対を複数配置した後処理用搬送装置により形成され、例えば、搬送路Ｒ６に沿って、表紙等に用いられるカバーシートＫを１枚ずつ取り出すピックアップローラ４４や取り出したカバーシートＫの搬送を一旦停止させ、待機状態にすることができる搬送ローラ対からなるプレフィード停止位置Ｑ３が設けられている。
【００６１】
また、搬送路Ｒ５からＲ８またはＲ９へ、Ｒ７からＲ８またはＲ９へと搬送路を変更するための回転可能なガイドＬＢからなる搬送路変更手段が設けられている。
【００６２】
なお、本実施の形態における穴あけ装置ｎ５や綴じ装置ｎ７、及び、折り畳み装置ｎ８の詳細な構成や作動に関する説明は割愛する。
【００６３】
次に、図２により本実施の形態における画像形成装置の回路構成について説明する。
【００６４】
１００は画像形成装置２０の各種手段と回路との構成を示しており、１１０は画像形成装置全体の制御を行うＣＰＵであり、画像形成装置２０を制御するための各種モードのプログラムやプログラムを実行するために必要なデータ等が予め記憶されている。
【００６５】
ＣＰＵ１１０には、情報制御回路１２０、画像処理回路１４０、駆動制御回路１５０および電源回路４００等が接続されている。そして、これらの回路とＣＰＵ１１０とにより図１に示す制御手段ＥＣが構成され、後述する自動原稿送り装置３０（ＡＤＦ）や後処理装置４０と連携して画像形成装置２０を中心とする画像形成システム全体の制御ができるようになっている。
【００６６】
情報制御回路１２０は、ＣＰＵ１１０の指示により、インタフェース（Ｉ／Ｆ）１３０を介して外部情報機器５００と接続して、文字や画像等の画像情報や画像形成等に必要な濃度や倍率等の設定情報をＪＯＢ情報として、１つの印刷単位である１ＪＯＢ単位で入力し記憶手段１６０に記憶する。また、記憶手段１６０に記憶された設定情報等を画像処理回路１４０や駆動制御回路１５０、あるいは表示手段３００等に出力するようにしている。
【００６７】
また、詳細は後述するが、外部情報機器５００から入力したＪＯＢ情報の他に、ＪＯＢ情報に付随したデータ（ＪＯＢデータともいう。）、例えば、画像処理回路１４０や駆動制御回路１５０等を含む各種回路や各種手段を作動させるための各種回路や各種手段に設けられたセンサ等から出力される各種情報の入出力、及び操作入力手段２００で入力され設定された画像形成条件や後処理条件等の画像形成モード等に関連する各種情報等を、自動的に、画像形成装置の作動に支障がないように、適宜円滑に画像形成装置の各回路や各種手段に伝達する機能を有している。
【００６８】
外部情報機器５００としては、主としてコンピュータやインターネット・サーバーであるが、場合によっては、ローカル・エリア・ネットワーク（ＬＡＮ）上の他の画像形成装置、あるいは、デジタル・カメラや計測した情報を出力可能な計測装置等の情報機器が想定される。
【００６９】
なお、本実施の形態においては、詳細は後述するが、情報制御回路１２０は、画像形成作動を実行させるために設定された画像形成条件や後処理条件を記憶手段１６０の設定条件記憶部に記憶し、異常が発生した場合は、設定されている画像形成条件や後処理条件を記憶手段１６０の設定条件記憶部から読み出して、記憶手段１６０の第１メモリ（異常発生内容記憶手段）に記憶すると共に、記憶された画像形成条件や後処理条件のそれぞれに関連付けて記憶回数を記憶する。
【００７０】
また、異常が発生する毎に異常発生回数として記憶されたこの記憶回数が予め設定された所定の記憶回数を超えた場合は、所定の記憶回数に該当した画像形成条件や後処理条件が異常多発条件として、第２メモリ（警告対象条件記憶手段）に記憶され蓄積される。
【００７１】
そして、画像形成作動を実行させる際に、画像形成条件や後処理条件を設定した時、設定された画像形成条件や後処理条件が第２メモリに記憶された異常多発条件に合致する場合は、表示手段３００に異常が発生する可能性が高いことを警告表示するようにしている。
【００７２】
従って、使用者は、警告表示がなされた場合は、異常を回避するために、例えば、設定条件を変更するか、他の画像形成装置にＪＯＢ情報をデータ転送するか、あるいは、そのまま画像形成作動を続行させるか否かを判断して、操作入力手段２００により警告後の作動を指示するようになっている。
【００７３】
なお、詳細は割愛するが、情報制御回路１２０は、本実施の形態においては、情報の授受に係る制御を行うものであり、情報転送手段及び転送先選択手段としても機能する。
【００７４】
ＣＰＵ１１０は、情報制御回路１２０により入力された各種情報や記憶手段１６０に記憶されている予め設定されたプログラムやデータ等に基づき、後述する画像処理回路１４０や駆動制御回路１５０を介して画像読取手段１３、画像形成手段１１、給排紙手段１４等を作動させ、また、ＡＤＦ３０や後処理装置４０等と協働して、画像形成条件や後処理条件に対応する画像形成モードや後処理モードによる画像形成作動を実行するようになっている。
【００７５】
インタフェース（Ｉ／Ｆ）１３０は、情報授受手段であり、前述のコンピュータや他の画像形成装置、インターネット・サーバー等の外部情報機器５００と各種ネットワーク（通信網）を介して接続できるように構成されている。
【００７６】
操作入力手段２００は、画像形成装置２０のコントロールパネルＣＰに設けられたキーボードＫＢ、及び、スタート釦ＳＫ等の釦類からなる入力装置、及び、表示装置を兼ねるタッチパネル方式の液晶表示装置ＤＰ等により構成されている。
【００７７】
タッチパネル方式の液晶表示装置ＤＰにより、画像形成モードに関しては、例えば、（１）片面印字原稿を片面印字出力する。（２）片面印字原稿を両面印字出力する。（３）両面印字原稿を片面印字出力する。（４）両面印字原稿を両面印字出力する。以上４つのモードがあり、それぞれ液晶表示装置ＤＰにボタン表示されていて選択設定できるようになっている。
【００７８】
また、本発明の実施の形態においては、警告表示がなされた場合に、異常を回避するために、例えば、設定条件を変更したり、他の画像形成装置にＪＯＢ情報をデータ転送したり、あるいは、そのまま画像形成作動を続行させるたりする設定を行うことができるようになっている。
【００７９】
画像処理回路１４０は、ＣＰＵ１１０の指示により、画像読取手段１３が読み取った原稿の画像情報を、例えば、デジタル変換して、画像データとして圧縮して記憶手段１６０に記憶させたり、或いは、画像形成手段１１が画像を形成する際に、記憶手段１６０に記憶されている画像データを伸張して画像形成手段１１の画像形成方式に適したデータや信号等に変換する回路である。
【００８０】
駆動制御回路１５０は、ＣＰＵ１１０の指示により、画像形成手段１１、画像読取手段１３、給排紙手段１４、及び、ＡＤＦ３０や後処理装置４０等を、予め設定された作動モードに基づき、適切なタイミングで作動させ画像形成作動を行なわせるための回路である。
【００８１】
記憶手段１６０は、画像を形成するために必要な画像データ及び画像形成装置２０を制御するための画像情報や画像形成条件等からなるＪＯＢ情報やＪＯＢデータ、及び、画像形成装置２０が実行するための各種設定モードのプログラム等の情報を記憶するようになっている。
【００８２】
特に、本実施の形態における記憶手段１６０は、画像形成作動を実行させるために設定された画像形成条件や後処理条件を記憶する設定条件記憶部と、異常が発生した場合に、異常が発生した時の設定条件として設定条件記憶部から読み出した画像形成条件や後処理条件と、それぞれの画像形成条件や後処理条件に関連づけられた記録回数を記憶する第１メモリと、記憶回数が予め設定された所定の記憶回数を超えた場合は、所定の記憶回数に該当した画像形成条件や後処理条件を異常多発条件として記憶する第２メモリを少なくとも備えている。
【００８３】
なお、設定条件記憶部は、１つのＪＯＢを実行するために設定される画像形成条件や後処理条件を記憶するものであるため、１つのＪＯＢが完了するまで設定された画像形成条件や後処理条件等の記憶内容を保持するようになっている。また、第１メモリと第２のメモリーは、例えば、異常箇所が修理されたり、定期点検等で部品が交換されたりした場合に、サービスマン等により特殊な操作でメモリ・リセットが実行されるまで記憶内容を保持するようになっている。
【００８４】
本発明の実施の形態においては、ＪＯＢ情報及びＪＯＢデータに関して、以下のように定義する。
【００８５】
ＪＯＢ情報とは、画像形成装置２０が複写機の場合は、例えば、原稿の画像情報に基づき、原稿をセットし、片面又は両面モードの選択、給紙カセットの選択、コピー部数の選択、印刷濃度の選択などの、個々の仕事（ＪＯＢ）の情報を意味し、出力設定を行い、コピー開始を指示することにより決定される一連の画像データをいう。そして、このような１つの印刷指示（１印刷単位ともいう。）に対応した印刷データ群を１ＪＯＢという。
【００８６】
また、同様に、画像形成装置が、例えば、プリンターの場合は、外部情報機器５００から送信された一連の印刷データ群をＪＯＢ情報といい、１つの印刷指示に対応した印刷データ群を１ＪＯＢという。そして、１ＪＯＢ毎にＪＯＢ情報やＪＯＢデータを取り扱うことを１ＪＯＢ単位という。
【００８７】
なお、ＪＯＢデータとは、ＪＯＢ情報に付随した、例えば、転写紙に応じた搬送速度の設定、あるいは、画像形成動作を実行するための詳細な制御項目に関連する制御値のデータをいう。従って、記憶手段１６０には１つのＪＯＢ毎に、つまり１ＪＯＢ単位（単に、ＪＯＢ単位ともいう。）でＪＯＢ情報やＪＯＢデータが記憶されている。
【００８８】
画像形成手段１１は、図１に示すように、感光体ドラム５、帯電手段６、現像手段７、転写分離手段８、クリーニング手段９、定着手段１０、及び分離爪手段１５等により構成され、駆動制御回路１５０により作動される。
【００８９】
そして、画像形成手段１１は、画像読取手段１３で読み取られ、記憶手段１６０に記憶された画像データ及びＪＯＢ情報やＪＯＢデータに基づいて、感光体ドラム５にトナー画像を形成し、転写紙としての普通紙Ｐまたは再利用紙ＩＰ等にトナー画像を転写し定着することで画像形成を行うようになっている。
【００９０】
画像読取手段１３は、図１に示すように、読取光学系と読取装置ＥＳとで構成されている。駆動制御回路１５０により作動され、読取位置に搬送された原稿の画像情報を読取装置ＥＳで読み取り、読み取られた画像情報は、画像処理回路１４０により、例えば、デジタルの画像データに変換され圧縮されて、記憶手段１６０に記憶されるようになっている。
【００９１】
給排紙手段１４は、前述のように、給紙カセット１２と、給排紙搬送手段、循環搬送制御手段や循環可能枚数設定手段で構成されている。
【００９２】
自動原稿送り装置（ＡＤＦ）３０は、図１に示すように、原稿載置台３２に載置された原稿を原稿搬送装置により自動的に１枚づつ読取位置に搬送する装置で、画像形成装置２０のＣＰＵ１１０の指示により、駆動制御回路１５０と連携して作動する。
【００９３】
後処理装置４０は、ＣＰＵ１１０の指示により、駆動制御回路１５０と連携して、例えば、カバーシート挿入やステープル、折り畳み、ソート等の後処理モードを予め設定されたプログラムや操作入力手段２００で設定された後処理条件等に基づき作動する。
【００９４】
電源回路４００は、使用者の操作により、電源スイッチ（図示せず）が投入されると、電源から適切な通電が画像形成装置全体に行われ、電源スイッチが遮断されると、通電が遮断されるようになっている。
【００９５】
なお、電源スイッチが投入されていても、例えば、画像形成装置を待機状態にする省電モードの場合は、ＣＰＵ１１０の指示により、一時的なメモリの記憶内容等の保存のために必要な通電のみを継続し、定着手段のヒータ等の他の通電を遮断することができるようになっている。
【００９６】
次に、図３により本発明に係る異常多発条件の記憶制御手順について説明する。前提として、この制御は、画像形成装置に電源が投入されると自動的に制御を開始し、画像形成作動を実行した後に電源が遮断されると自動的に制御を終了するようになっている。
【００９７】
（ＳＴ１）異常発生か否かを判断するステップである。まず、ＣＰＵ１１０は、画像形成作動が実行されると、異常多発条件の記憶制御を開始する。情報制御回路１２０が異常を検出するとＳＴ２ステップに進み、異常が発生しない場合は異常が検出されるまでＳＴ１を繰り返して待機することになる。
【００９８】
（ＳＴ２）
設定条件と記憶回数を第１メモリに記憶するステップである。つまり、情報制御回路１２０は、異常を検出すると、異常が発生した時に設定されている画像形成条件や後処理条件をそれぞれの項目毎に第１のメモリに記憶すると共に、第１のメモリに記憶した画像形成条件や後処理条件のそれぞれの項目毎に記憶された記憶回数を記憶してＳＴ３に進む。
【００９９】
具体的には、第１のメモリの記憶内容を図８（Ａ）のように模式的に示すと、異常が発生する毎に、例えば、横軸に給紙関係、印刷関係、後処理関係が記憶されるようになっており、給紙関係では、異常が発生した時に設定されていた画像形成条件として、トレイ１〜３及び手差し（手差しトレイ）の項目が順次に記憶され、記憶された項目に対応して記憶回数が記憶される。給紙関係としは、トレイ１では記憶回数が２回、つまりトレイ１に関連する異常が２回発生したことを示している。
【０１００】
同様に、詳細は割愛するが、印刷関係、後処理関係に対応して、異常が発生したそれぞれの項目とその発生回数である記憶回数が記憶されていることが解る。
【０１０１】
（ＳＴ３）
記憶回数が所定数以上かを判断するステップである。つまり、第１メモリに記憶された画像形成条件や後処理条件のそれぞれの項目毎に記憶された記憶回数が所定数以上か否かを判断し、所定数以上に該当する記憶回数が検出された場合はＳＴ４に進み、該当する記憶回数が検出されなかった場合はＳＴ５に進む。
【０１０２】
具体的には、異常が多発する可能性のある記憶回数を過去の経験や実験等により求め、例えば、所定の記憶回数を６回とすると、図８（Ａ）は異常の発生毎に記憶回数が積算されるようになっているので、給紙関係のトレイ３が６回、印刷関係の片面→両面が７回、後処理関係のステイプルが６回と、何れも６回以上になっていることが解る。従って、実際には６回になった時点で、これらの項目が異常多発項目として抽出されることになる。
【０１０３】
（ＳＴ４）
該当する設定条件を第２メモリに記憶するステップである。すなわち、記憶回数が所定数以上に該当する画像形成条件や後処理条件のそれぞれの項目を第１メモリの中から抽出して異常多発条件として第２メモリ記憶するとＳＴ５に進む。
【０１０４】
具体的には、前述したように所定の記憶回数を６回とすると、図８（Ａ）から記憶回数が６回以上の項目が抽出されて、トレイ３、片面→両面、ステイプルが異常多発条件として、図８（Ｂ）に示すように第２メモリに設定される。
そして、後述するように画像形成作動を実行する際に画像形成条件や後処理条件として、この第２メモリに記憶された項目に合致する条件が設定された場合は、警告表示籐が実行されることになる。
【０１０５】
（ＳＴ５）
作動終了、すなわち画像形成装置の電源が遮断されて作動を終了するか否かを判断するステップである。画像形成作動を終了する場合は、異常多発条件を第２メモリに記憶する異常多発条件の記憶制御を終了し、電源が遮断されておらず画像形成作動を終了しない場合は、異常多発条件の記憶制御を実行するためにＳＴ１に戻るようになっている。
【０１０６】
なお、第１メモリや第２メモリは、電源が遮断されても記憶内容を保持することができる不揮発性メモリで構成されることが好ましい。
【０１０７】
次に、図４により異常回避制御について説明する。前提として、すでに前述の異常多発条件の記憶制御が実行されているものとする。
【０１０８】
（ＳＴ２１）
条件設定を行うステップである。つまり、これから実行しようとする画像形成装置の画像形成作動に対して使用者が意図する画像が形成できるように、本実施の形態においては、コントロールパネルＣＰに設けられたキーボードＫＢやタッチパネル式の液晶表示装置ＤＨＰ等からなる操作入力手段２００により画像形成条件や後処理条件を設定すると、情報制御回路１２０は設定された画像形成条件や後処理条件を記憶手段１６０の設定条件記憶部に記憶させてＳＴ２２に進む。
【０１０９】
（ＳＴ２２）
異常多発条件と設定条件を比較するステップである。情報制御回路１２０は、ＳＴ２１で設定条件記憶部に記憶した画像形成条件や後処理条件と、第２メモリに記憶されている異常多発条件とを比較し、異常多発条件に該当する設定条件を抽出してＳＴ２３に進む。
【０１１０】
（ＳＴ２３）
警告表示を行うか否かを判断するステップである。ＳＴ２２で情報制御回路１２０が異常多発条件に該当する設定条件を抽出した場合は警告表示が必要と判断してＳＴ２４に進み、抽出しなかった場合は、設定された条件で画像形成作動が実行できるようにＳＴ２７に進む。
【０１１１】
（ＳＴ２４）
警告表示を行うステップである。本実施の形態においては、例えば、図５に示すような警告表示画面を表示手段２００に表示してＳＴ２５に進む。
【０１１２】
なお、本実施の形態としては詳細な説明は割愛するが、警告表示手段による警告は、図５に示す文字表示の他に、ＬＥＤ等による発光手段を使用した点灯点滅、あるいは発音手段を使用したブザー音やメロディ等により警告しても良い。
【０１１３】
また、異常多発条件に該当する設定条件の数により警告表示状態を変化させるようにしてもよく、特に、警告表示手段が発光手段の場合は発光の強度や発光間隔、あるいは発光色を変化させても良いし、発音手段による場合は、発音の強度や発音間隔あるいはメロディを変化させたりしても良い。
【０１１４】
また、例えば、３項目以上該当する場合は自動的にデータ転送手段を実行させ、２項目以上該当する場合は設定条件の変更を行わないと次のステップに進めないようにし、１項目が該当する場合は使用者に設定条件の変更をおこなうか、そのまま継続かを選択させるようにしても良い。
【０１１５】
このように、該当する数に応じて警告表示状態を変化させることにより、使用者に異常の度合いを認識させ適切な異常回避を実行させることができ、効率的で、しかも高速で高品位な画像形成が行える画像形成装置装置を提供することができる。
【０１１６】
なお、該当する数の設定等に関しては、警告が頻繁にならず異常が発生する可能性が高いことを適切に警告できるように、画像形成装置の機能や性能あるいは異常の発生頻度等を考慮して適宜に設定することが望ましい。
【０１１７】
（ＳＴ２５）
条件変更を行うか否かを判断するステップである。本実施の形態においては、図５の警告表示画面の下部に設けられた、「設定変更」、「出力先変更」、「継続」の３つの釦のうち「設定変更」と「出力先変更」釦が押された場合は異常を回避するものと判断してＳＴ２６に進み、「継続」釦が押された場合は、異常が発生する可能性が高いことを承知の上で画像形成作動を行わせるものと判断してＳＴ２７に進む。
【０１１８】
（ＳＴ２６）
変更条件設定を行うステップである。本実施の形態においては、ＳＴ２２で抽出された異常多発条件に該当する設定条件を、他の条件に変更することで異常発生を回避するようにしている。
【０１１９】
例えば、図５の警告表示画面の「設定変更」ボタンが押されると図６の再設定条件選択画面が表示され、警告対象となった設定が表示されると共に、「１．設定を変えずに設定入力画面へ」（１の釦という。）、「２．設定をリセットして設定入力画面へ」（２の釦という。）、「３．保存されているＪＯＢを入力」（３の釦という。）、の３つの操作釦が表示されるので、使用者は何れかの釦を押して条件を変更して異常を回避する処置を行うことになる。そして、変更された条件が異常多発条件に該当するか否かを判断するためにＳＴ２２に進む。
【０１２０】
なお、再設定条件選択画面の１の釦を押すと、図示はしないが画像形成条件や後処理条件を設定できる「基本操作画面」に進み、「基本操作画面」では設定されていた条件が表示された状態になっているので、表示された状態とは異なる条件を容易に選択できるようになっている。また、２の釦を押すと、設定されていた条件がリセットされた状態で「基本操作画面」が表示されるので、前回の設定条件にこだわらずに条件設定することができる。また、３の釦を押すと、保存されているＪＯＢ、つまり、幾つかすでに実行されたＪＯＢの設定条件が保存されているので、使用者の意図に近い保存されている設定条件を設定することで異常が回避できるようになっている。
【０１２１】
また、例えば、条件を変更しても異常が発生しそうな場合等においては、他の画像形成装置により出力させるようにすることができる。その場合は、図５の警告表示画面の「出力先変更」釦を押すと図７の出力先変更画面が表示されるので、出力先変更画面に表示された装置の機能詳細や、異常発生内容、設置場所等が記載されたメモ欄の記載等を参考に、例えば、異常が発生していない装置で、意図する後処理機能を備え、すぐにＪＯＢが実行できる、身近にある装置というような判断基準により、表示されている装置の中から適当な装置を選択すると、ＪＯＢ情報が自動的に選択された画像形成装置にデータ転送されるようになっている。
【０１２２】
（ＳＴ２７）
画像形成作動を実行するステップである。設定された画像形成条件や後処理条件に基づき、一連のＪＯＢとしての画像形成作動が実行され画像が転写紙に形成されて、使用者が意図する出力が得られるとＳＴ２８に進む。
【０１２３】
（ＳＴ２８）
作動終了、すなわち画像形成装置の電源が遮断されて作動を終了するか否かを判断するステップである。画像形成作動が終了する場合は、本実施の形態における異常回避制御を終了し、引き続いて、別のＪＯＢを実行する場合はＳＴ２１に戻るようになっている。
【０１２４】
以上のように、本実施の形態における異常回避制御は、異常多発条件の記憶制御により、異常が発生する毎に異常が発生した画像形成条件や後処理条件の項目を第１のメモリに記憶し、その記憶回数が所定数以上になった場合に、異常多発条件として第２メモリに記憶し、第２メモリに記憶された異常多発条件と設定条件を比較し、異常多発条件に該当する設定条件がある場合は警告を行うことで異常回避を行うようにしたものである。
【０１２５】
なお、本実施の形態においては、異常多発条件としては、異常が発生する毎に記憶した画像形成条件や後処理条件の記憶回数が所定数以上になったそれぞれの項目を抽出したものとしたが、例えば、画像形成装置の給紙関係の異常発生が見込まれる場合等に、図８（Ｃ）に示すように、特定条件設定手段としも機能する操作入力手段２００により、記録媒体の搬送異常を特定条件に設定し、搬送異常の中でも特に、転写紙が円滑に搬送されずにクシャクシャになるＪＡＭ現象が発生するＪＡＭ発生位置を特定項目に設定する。そして、搬送異常に関連する給紙関係と後処理関係に対してＪＡＭ発生位置とその記憶回数を記憶する。記憶された給紙関係の上位３位内の特定項目を異常多発条件として図８（Ｄ）のように記憶して、搬送異常に関する異常回避を実行するようにしても良い。なお、特定条件は、本実施の形態における記録媒体の搬送異常に限定されるものではない。
【０１２６】
以上のように、本実施の形態においては、異常が発生した時の画像形成条件や後処理条件の記憶回数が所定数以上になった時の項目、あるいは、特定条件の特定項目の上位３位以内のものを異常多発条件として記憶し、画像形成を実行する際に設定された設定条件が、異常多発条件に該当するか否かを判断し、該当する場合は警告を行うようにしたことにより、事前に異常を回避できるようにしたものである。
【０１２７】
従って、本実施の形態においては、警告が頻繁になりすぎず、かつ、適切に異常が発生する可能性が高いことを警告できるようにするために、異常多発条件とするか否かを判断する判断基準を、例えば、所定数としての記憶回数を６回とし、また、記憶回数の上位３位以内とした例を示したが、判断基準もこれに限定するものではなく、使用する画像形成装置の機能や性能、または実験値あるいは過去の経験等を考慮して、適切に設定することが望ましい。
【０１２８】
そして、本実施の形態においては、異常が発生した時、設定されていた画像形成条件及び後処理条件記憶され、また、記憶された画像形成条件及び後処理条件の中から、それぞれ記憶された記憶回数が多い画像形成条件及び後処理条件が異常多発条件として記憶されるので、画像形成作動を行う際に、異常多発条件に該当する条件が設定された場合は、異常が発生する可能性が高いことを警告することにより、使用者が事前に異常を回避することができるので、異常が発生した場合に異常の解消等の対処を行う使用者の作業等の負担をなくして、効率的に、高速で高品位な画像形成が行える画像形成装置装置を提供することができるようになった。
【０１２９】
また、異常が発生する可能性が高いことを警告した場合は、設定条件を変更したり、通信網に接続された他の画像形成装置に対して、ＪＯＢ情報を転送することができるようにしたので、効率的に、高速で高品位な画像形成が行える画像形成装置装置を提供することができるようになった。
【０１３０】
また、異常多発条件と設定条件の一致する条件の数に応じて、警告表示状態を変化させることができるようにしたので、警告表示状態により使用者は適切に異常を回避するための処理を選択できるようになり、効率的に、高速で高品位な画像形成が行える画像形成装置装置を提供することができるようになった。
【０１３１】
また、記録媒体の搬送異常等の特定条件を設定した場合は、特定条件に関連する画像形成条件及び後処理条件を記憶し、特定条件に対応した異常多発条件を抽出することにより、特定条件に対応する異常の発生しやすい設定条件が容易に把握でき、効率的に異常の回避を行ったり処置を行うことができるようになり、高速で高品位な画像形成が行える画像形成装置装置を提供することができるようになった。
【０１３２】
なお、本実施の形態においては、画像形成装置は複写機として説明したが、本発明が適用できる画像形成装置はプリンタやファクシミリ装置、または、これらの複合機であっても良いことは言うまでもない。
【図面の簡単な説明】
【０１３３】
【図１】本実施の形態における画像形成装置の概略図。
【図２】本実施の形態における画像形成装置の回路構成を示すブロック図。
【図３】本発明に係る異常多発条件の記憶制御手順を示すフローチャート。
【図４】本発明に係る異常回避制御手順を示すフローチャート。
【図５】本実施の形態における警告表示画面の一例を示す模式図。
【図６】本実施の形態における再設定条件選択画面の一例を示す模式図。
【図７】本実施の形態における出力先変更画面の一例を示す模式図。
【図８】記憶手段１６０の記憶内容を示した模式図。
【符号の説明】
【０１３４】
１  筐体
２  手差し皿
４  キャスター
５  感光体ドラム
６  帯電手段
７  現像手段
８  転写分離手段
９  クリーニング手段
１０  定着手段
１１  画像形成手段
１２  給紙カセット
１３  画像読取手段
１４  給排紙手段
１５  分離爪手段
１６  反転部材
１７  反転ローラ
２０  画像形成装置
３０  自動原稿送り装置
４０  後処理装置
４１  後処理装置の筐体
４２  ローラ
４３  挿入口
【図１】
2007072063.tif 000003
【図２】
2007072063.tif 000004
【図３】
2007072063.tif 000005
【図４】
2007072063.tif 000006
【図５】
2007072063.tif 000007
【図６】
2007072063.tif 000008
【図７】
2007072063.tif 000009
【図８】
2007072063.tif 000010